(57)【要約】【課題】簡易にかつ均一に毛髪をカールさせるカーリング機能を有し、安全に使用することのできるヘアアイロンを提供すること。【解決手段】ヘアアイロン１は、一軸方向を長手とし、その方向に延びる第１発熱面１１ａとこれとともに側面をなす第２発熱面１１ｂとを有する柱状の第１発熱体１１、及び第２発熱面１１ｂから離間して第１発熱体１１を周方向に覆い、一軸方向に配設される複数のアーチ部１２ａを含むガード１２から構成される。複数のアーチ部１２ａにより、使用者の皮膚（頭皮を含む）の第１発熱体１１への接触を防止するとともに、それらの間隙に毛髪を通して第１発熱体１１に周方向に巻き付けることにより、それぞれの間隙内に一定量の毛髪が束ねられ、簡易にかつ均一に第２発熱面１１ｂに毛髪を巻き付けてカールすることが可能となる。【選択図】図１
0003196950.tif 000002
【実用新案登録請求の範囲】
【請求項１】
毛髪を巻き付けて加熱するヘアアイロンであって、
一軸方向を長手とし、該方向に延びる矩形状の平面である第１発熱面と、該第１発熱面の前記一軸方向に平行な２辺から膨出する断面円周状の第２発熱面とを有する、半割円柱状の発熱体と、
前記第２発熱面から離間して前記発熱体を周方向に覆う複数のアーチ部と、前記アーチ部の基端を連接し前記一軸方向に配設される２つの棒状部とを有するガードと、
を備えることを特徴とする、ヘアアイロン。
【請求項２】
前記棒状部は、前記第２発熱面に隙間なく接することを特徴とする、請求項１に記載のヘアアイロン。
【請求項３】
前記アーチ部は、
前記一軸方向と前記発熱体の径方向との２次元面内で、連続的であり且つ前記径方向に凸の外縁を有し、
前記一軸方向に垂直な２次元面内で、連続的であり且つ前記第１発熱面に対して凸の外縁を有することを特徴とする、請求項１に記載のヘアアイロン。
【請求項４】
前記アーチ部の前記一軸方向に垂直な２次元面内において、前記外縁の前記第２発熱面からの前記発熱体の径方向の離間距離Ｄを、該径方向と前記第１発熱面とのなす角度θを用いてＤ（θ）と表すとき、
Ｄ（θ）はθ＝９０度において最大値をとり、
該最大値が５〜１５ｍｍであることを特徴とする、請求項１〜３のいずれか１項に記載のヘアアイロン。
【請求項５】
前記アーチ部の前記一軸方向に垂直な２次元面内において、前記アーチ部の内縁の前記第２発熱面からの前記発熱体の径方向の離間距離ｄを、該径方向と前記第１発熱面とのなす角度θを用いてｄ（θ）と表すとき、
ｄ（θ）はθ＝９０度において最大値をとり、
該最大値が２〜１０ｍｍであることを特徴とする、請求項４に記載のヘアアイロン。
【請求項６】
前記複数のアーチ部は、同一の形状及び大きさであることを特徴とする、請求項１〜５のいずれか一項に記載のヘアアイロン。
【請求項７】
前記発熱体の径方向のうち前記第１発熱面とのなす角度θが４０度〜１４０度である任意の方向と前記一軸方向との２次元面内において、前記複数のアーチ部の隣り合うアーチ部間の距離が３〜５０ｍｍであることを特徴とする、請求項６に記載のヘアアイロン。
【請求項８】
前記発熱体の前記第１発熱面に当接可能な矩形状の平面である第３発熱面を有する別の発熱体をさらに備えることを特徴とする、請求項１〜７のいずれか一項に記載のヘアアイロン。
【考案の詳細な説明】
【技術分野】
【０００１】
本考案は、カーリング機能を有するヘアアイロンに関する。
【背景技術】
【０００２】
毛髪をカールするカーリング機能を有するヘアアイロンには、特許文献１に記載のように、ブラシによって発熱体に毛髪を巻き付けるものが多い。また、特許文献２及び３に記載のように、間隔を開けて配設された弓状部材により巻き付けるものもある。しかし、特許文献２に記載のヘアアイロンにおいてはプレスプレートを、特許文献３に記載のヘアアイロンにおいては特殊形状の整形部材（発熱体）を用いて毛髪を巻き付けるため、毛髪を均一にカールすることが困難である。また、発熱体が皮膚等（頭皮を含む）に接触してしまうことや、弓状部材と他の部材の間に毛髪が巻き込まれてしまうことが十分には防止されておらず、安全性が十分でない。
【先行技術文献】
【特許文献】
【０００３】
【特許文献１】特開２０１１−０７２７８９号公報
【特許文献２】特開２００３−２８４６０８号公報
【特許文献３】特開２０１３−０５６１９５号公報
【考案の概要】
【考案が解決しようとする課題】
【０００４】
本考案は、簡易にかつ均一に毛髪をカールさせるカーリング機能を有し、安全に使用することのできるヘアアイロンを提供することを課題とする。
【課題を解決するための手段】
【０００５】
本考案のヘアアイロンは、
毛髪を巻き付けて加熱するヘアアイロンであって、
一軸方向を長手とし、該方向に延びる矩形状の平面である第１発熱面と、該第１発熱面の前記一軸方向に平行な２辺から膨出する断面円周状の第２発熱面とを有する、半割円柱状の発熱体と、
前記第２発熱面から離間して前記発熱体を周方向に覆う複数のアーチ部と、前記アーチ部の基端を連接し前記一軸方向に配設される２つの棒状部とを有するガードと、
を備えることを特徴とする。
【０００６】
これによれば、発熱体を周方向に覆う複数のアーチ部により、使用者の皮膚等（頭皮を含む）の発熱体への接触を防止するとともに、毛髪をアーチ部の間隙に通して発熱体の第２発熱面に周方向に巻き付けてカールさせることができる。
【０００７】
本考案のヘアアイロンは、
前記棒状部は、前記第２発熱面に隙間なく接することを特徴とする。
【０００８】
これによれば、ガードと第２発熱面の間に毛髪が巻き込まれてしまうことがなく、安全である。
【０００９】
本考案のヘアアイロンは、
前記アーチ部は、
前記一軸方向と前記発熱体の径方向との２次元面内で、連続的であり且つ前記径方向に凸の外縁を有し、
前記一軸方向に垂直な２次元面内で、連続的であり且つ前記第１発熱面に対して凸の外縁を有することを特徴とする。
【００１０】
これによれば、アーチ部の毛髪が接触する箇所の面が滑らかであり、毛髪を容易に発熱体の第２発熱面に導くことができる。
【００１１】
本考案のヘアアイロンは、
前記アーチ部の前記一軸方向に垂直な２次元面内において、前記外縁の前記第２発熱面からの前記発熱体の径方向の離間距離Ｄを、該径方向と前記第１発熱面とのなす角度θを用いてＤ（θ）と表すとき、
Ｄ（θ）はθ＝９０度において最大値をとり、
該最大値が５〜１５ｍｍであることを特徴とする。
【００１２】
これによれば、アーチ部の間隙を通して導かれた毛髪が確実に第２発熱面に接触する。
【００１３】
本考案のヘアアイロンは、
前記アーチ部の前記一軸方向に垂直な２次元面内において、前記アーチ部の内縁の前記第２発熱面からの前記発熱体の径方向の離間距離ｄを、該径方向と前記第１発熱面とのなす角度θを用いてｄ（θ）と表すとき、
ｄ（θ）はθ＝９０度において最大値をとり、
該最大値が２〜１０ｍｍであることを特徴とする。
【００１４】
これによれば、毛髪が確実に第２発熱面に接触するとともに、アーチ部が熱くならずに使用者が発熱面に触れることを防止でき安全である。
【００１５】
本考案のヘアアイロンは、
前記複数のアーチ部は、同一の形状及び大きさであることを特徴とする。
【００１６】
これによれば、複数のアーチ部の外縁の包絡面が柱状となり、その軸に沿った箇所を把持して操作することが容易にできる。
【００１７】
本考案のヘアアイロンは、
前記発熱体の径方向のうち前記第１発熱面とのなす角度θが４０度〜１４０度である任意の方向と前記一軸方向との２次元面内において、前記複数のアーチ部の隣り合うアーチ部間の距離が３〜５０ｍｍであることを特徴とする。
【００１８】
これによれば、アーチ部による安全性を維持しながら、毛髪を発熱面に効率的に誘導して発熱面に接する毛髪の量を多くすることができ、カールの均一性を高めることができる。
【００１９】
本考案のヘアアイロンは、
前記発熱体の前記第１発熱面に当接可能な矩形状の平面である第３発熱面を有する別の発熱体をさらに備えることを特徴とする。
【００２０】
これによれば、毛髪を第１発熱面と第３発熱面とで挟んで伸ばすこと、すなわち本考案のヘアアイロンにストレートニング機能を持たせることができる。
【考案の効果】
【００２１】
本考案のヘアアイロンは、毛髪を巻き付け且つ加熱することで、毛髪を簡易にかつ均一にカールさせることができる。
【図面の簡単な説明】
【００２２】
【図１】図１は、ヘアアイロンの構成を示す側面図である。
【図２】図２は、使用時におけるヘアアイロンの状態を示す側面図である。
【図３】図３は、アーチ部を示す断面図である。
【図４】図４は、アーチ部を示す断面図である。
【図５】図５は、カーリング機能を説明する図である。
【図６】図６は、ストレートニング機能を説明する図である。
【考案を実施するための形態】
【００２３】
以下、本考案の一実施形態について説明する。
【００２４】
図１は、ヘアアイロンの構成を示す側面図である。ヘアアイロン１は、毛髪を巻き付けて加熱するヘアアイロンであり、第１発熱体１１、複数のアーチ部１２ａと棒状部１２ｂを含むガード１２、キャップ１３、握持部１４を有する第１腕部１０と、第２発熱体２１、複数のブラシ２２、キャップ２３、握持部２４を有する第２腕部２０、バネ３１、ロック３２（突起３２ａ及びつまみ３２ｂを含む）及び電源コード４（延長される部分は不図示）から構成される。
【００２５】
第１腕部１０と第２腕部２０は角度可変に回動可能であり、バネ３１によって角度を広げるように付勢されている。ロック３２は、他方の把持部１４に挿入される突起３２ａをつまみ３２ｂによって移動する係止具に係合させて第１腕部１０と第２腕部２０を相互に固定する。バネ３１の付勢に抗して第１腕部１０と第２腕部２０を接触した状態に保つことができる。電源コード４を介して供給される電力によって発熱するヒータ（不図示）により、第１発熱体１１及び第２発熱体２１が発熱する。
【００２６】
図２は、使用時におけるヘアアイロンの状態を示す側面図である。握持部１４と握持部２４を片手で握り、第１腕部１０と第２腕部２０をバネ３１の付勢に反して接触させた状態である。ロック３２により、握持部１４と握持部２４を強く握ることなくこの状態を保つことができる。この状態でスイッチ（不図示）を操作することにより、第１発熱体１１及び第２発熱体２１が発熱する。
【００２７】
ここで、本考案の中心は第１腕部１０の構造にある。第２腕部２０の構造は、第３発熱面２１ａを有する第２発熱体２１を除き、任意に設計してよい。図２では第２腕部２０がブラシ２２を有するものとして描いてあるが、他の構造でもよい。例えば、第２発熱体２１のみを備えた薄い板状のものであってもよく、第１腕部１０と同様にガードを備えたものであってもよい。
【００２８】
第１発熱体１１は、半円形状の断面を有し、図１における左右方向を長手として、その方向に延びる矩形状の平面である第１発熱面１１ａと、第１発熱面１１ａの長辺から膨出する断面円周状の第２発熱面１１ｂとを有する、半割円柱状の筐体である。
【００２９】
複数のアーチ部１２ａは、第１発熱体１１の長手方向に複数（ここでは８つ）配設されている。複数のアーチ部１２ａを含むガード１２は、一例として、熱伝導率の低い合成樹脂から構成される。使用者の皮膚等（頭皮を含む）の第１発熱体１１への接触を防止するとともに、第１発熱体１１の熱が使用者の皮膚等（頭皮を含む）に伝わるのを防止する。また、後述するように第１発熱体１１に毛髪を巻き付ける際に、複数のアーチ部１２ａの間のそれぞれに十分な量の毛髪を通すことができる。ここで、８つのアーチ部はすべて同一の形状である。なお、必ずしも同一の形状でなくともよい。
【００３０】
複数のアーチ部１２ａは、それらの一端及び他端がそれぞれ第１発熱体１１の一側及び他側（図２における左側及び右側）に伸びる２つの棒状部１２ｂにそれぞれ固定されている。２つの棒状部１２ｂは、複数のアーチ部１２ａと同様に合成樹脂から構成され、複数のアーチ部１２ａとともに一体的に成形されているものとする。
【００３１】
図３は、アーチ部を示す断面図である。図２におけるＡ−Ａ’線の断面図（第１発熱体１１の長手の軸方向に垂直な２次元面の図）である。アーチ部１２ａは、第２発熱面１１ｂから離間して第１発熱体１１をその周方向に覆うアーチ状を有している。アーチ部１２ａの外縁（図において太線１２Ｘで示す。）は、第１発熱面１１ａに対して凸（図において上に凸）である。
【００３２】
径方向が第１発熱面となす角度をθとし、θ＝９０度において、アーチ部１２ａの外縁１２Ｘの第１発熱面１１ａからの高さ（図においてＨで示す。）は、２２ｍｍである。使用する際に効率的に頭皮を保護するために１４〜５０ｍｍであることが好ましい。
【００３３】
θ＝９０度において、アーチ部１２ａの外縁１２Ｘの第２発熱面１１ｂからの離間距離（図においてＤで示す。）は、７ｍｍである。カーリング機能を使用する際に毛髪を効率的に第２発熱面１１ｂに巻き付けるために５〜１５ｍｍであることが好ましい。
【００３４】
θ＝９０度において、アーチ部１２ａの内縁１２Ｚの第２発熱面１１ｂからの離間距離（図においてｄで示す。）は、３ｍｍである。カーリング機能を使用する際にアーチ部の温度上昇を防止し、安全性を高めるため２〜１０ｍｍであることが好ましい。
【００３５】
以上、図３における上下の径方向について、Ｄ、ｄを説明した。アーチ部１２ａは厳密な円弧形状ではなく、θに依存してＤ、ｄの値は変動する。Ｄ、ｄをθの関数としてＤ（θ）、ｄ（θ）と表す。上下の径方向においてθ＝９０度である。図においてθ＝１２０度におけるＤ（θ）、ｄ（θ）をＤ’、ｄ’で表す。Ｄ’、ｄ’はいずれも、θ＝９０度におけるＤ、ｄよりも小さい。Ｄ（θ）、ｄ（θ）はいずれもθ＝９０度において最大値をとる。
【００３６】
棒状部１２ｂは、第２発熱面１１ｂと隙間なく密接している。棒状部１２ｂに突起１２ｂ１が設けられ、第２発熱面１１ｂの溝１１ｂ１に嵌合している。なお、嵌合以外の方法によって密接させてもよい。これにより、ガード１２の幅（図３における左右方向の幅）が小さくなり、使用時に邪魔となることが少なくなる。
【００３７】
図４は、アーチ部を示す断面図である。図３におけるＢ−Ｂ’線の断面図（第１発熱体１１の長手の軸方向と径方向の断面図）であり、アーチ部１２ａについて図３とは異なる方向からの形状を示す。アーチ部間の距離（図においてＤａで示す）は８ｍｍである。
【００３８】
Ｂ−Ｂ’線を図３において上下方向（θ＝９０度）としてあるが、４０度≦θ≦１４０度である任意の方向の第１発熱体１１の中心を通る線の断面（図３において４０度≦θ≦１４０度の範囲でθを変化させた断面）はすべて（Ｄ、ｄ及びＨの値の微細な相違を除き）同様である。アーチ部１２ａの外縁（図において太線１２Ｙで示す。）は、第１発熱体１１の径方向に凸（図において上に凸）である。
【００３９】
ここで、Ｄａについて、θ＝４０度及びθ＝１４０度においてＤａ＝７ｍｍであり、θ＝９０度においてＤａ＝８ｍｍであり、θ＝９０度において最大となる。毛髪を発熱面に効率的に誘導してカールの均一性を高めるため、４０度≦θ≦１４０度において３ｍｍ≦Ｄａ≦５０ｍｍであることが好ましい。Ｄａの具体的な値やθに対してどのように変化するかは任意に設計してよい。
【００４０】
キャップ１３は、一例として合成樹脂から構成され、第１発熱体１１の先端に固定される。
【００４１】
第２発熱体２１は、第１発熱体１１と同様に半円形状の断面を有し、その長手方向に延びる矩形状の第３発熱面２１ａを有する柱状の筐体である。
【００４２】
ブラシ２２は、図３より分かるように、第２発熱体２１の周外に突出した針状体である。なお、先述のとおり、ブラシ２２はなくともよく、他のものでもよい。
【００４３】
キャップ２３は、一例として合成樹脂から構成され、第２発熱体２１の先端に固定される。
【００４４】
握持部１４、２４は、それぞれ第１発熱体１１及び第２発熱体２１の基端が固定されている。握持部１４、２４を片手で握ることで、第１発熱面１１ａと第３発熱面２１ａを当接することができる。
【００４５】
以下、上述の構成のヘアアイロン１の使用方法について説明する。
【００４６】
（カーリング機能）
カーリング機能を使用する場合には、握持部１４、２４を片手で握り、ロック３２によって第１腕部１０と第２腕部２０を接触した図２の状態を保つ。この状態でスイッチをオンにする。第１発熱体１１の第２発熱面１１ｂが発熱する。複数のアーチ部１２ａを毛髪に当てると、図４において太線１２Ｙで示された外縁が滑らかであるので、毛髪が複数のアーチ部１２ａの間隙に誘導される。その後、握持部１４、２４を握る手によってヘアアイロン１を図３における紙面水平方向に１５〜６０度程度回転させる（図３の紙面に交差する方向には動かさずに回転させる）。時計回りまたは反時計回りの回転を任意で繰り返してもよい。
【００４７】
図３において太線１２Ｘで示された外縁が滑らかであるので、毛髪が複数のアーチ部１２ａ間で第２発熱面１１ｂの方向に移動する。図３においてＤで示すアーチ部１２ａの外縁１２Ｘの第２発熱面１１ｂからの離間距離は７ｍｍと髪を誘導するのに十分な高さがあるので、毛髪は第２発熱面１１ｂに巻き付く。また、第２発熱面１１ｂが頭皮から離れるので熱によって火傷をしてしまうことがなく安全である。図３においてｄで示すアーチ部１２ａの内縁１２Ｚの第２発熱面１１ｂからの離間距離は３ｍｍであり、毛髪が確実に第２発熱面１１ｂに接触するとともに、アーチ部１２ａが熱くならずに使用者が発熱面に触れることを防止できる。図４においてＤａで示すアーチ部１２ａ間の距離が４０度≦θ≦１４０度において７〜８ｍｍであるので、毛髪がアーチ部１２ａの間で第２発熱面１１ｂに効率的に誘導され、第２発熱面１１ｂに接する毛髪の量が多い。第２発熱面１１ｂにより加熱されて毛髪がカールされる。
【００４８】
図５はカーリング機能を説明する図である。アーチ部１２ａの外縁の第２発熱面１１ｂからの離間距離Ｄがθ＝９０度において最大となり、アーチ部１２ａはθ＝９０度の箇所が他の箇所に対して微小に突出している。該突出部は任意の回転において櫛のように作用して毛髪をアーチ部１２ａの間に誘導する。図は、そのように誘導された後の毛髪の状態を示すものである。
【００４９】
上記任意の回転の際、一部の毛髪は棒状部１２ｂに接触する。この際、棒状部１２ｂと第２発熱面１１ｂとの間に隙間がないことにより、毛髪が棒状部１２ｂと第２発熱面１１ｂとの間に巻き込まれて絡んでしまうことがなく安全である。
【００５０】
加熱終了後、握持部１４、２４を離し、スイッチをオフにして毛髪を解く。以上により、プレスプレートや整形部材を用いることなく、簡易にかつ均一に毛髪をカールすることができる。
【００５１】
（ストレートニング機能）
ストレートニング機能を使用する場合には、図１の状態として、毛髪を第１腕部１０と第２腕部２０との間（第１発熱面１１ａと第３発熱面２１ａとの間）に入れる。その後、握持部１４、２４を握って図２の状態とし、スイッチをオンにする。発熱した第１発熱面１１ａと第３発熱面２１ａとによって毛髪がまっすぐに伸ばされる。この際、アーチ部１２ａによって頭皮が第１発熱体１１に接触することが防止され、安全である。また、図３においてアーチ部１２ａが頭皮に接触し第１発熱面１１ａが頭皮に接触していない状態で毛髪の根元近くまでを伸ばすことができる。
【００５２】
図６は、ストレートニング機能を説明する図である。第１発熱面１１ａと第３発熱面２１ａの間に毛髪が挟まれている。ガード１２によって、第１発熱体１１が皮膚等（頭皮を含む）に接触しないようになっている。
【００５３】
以上詳細に説明したように、本実施形態のヘアアイロン１は、簡易にかつ均一に毛髪をカールすることができるとともに、ストレートナとして使用することもできる。
【産業上の利用可能性】
【００５４】
簡易にかつ均一に、また安全に使用することができ、カーリング機能とストレートニング機能を備えるヘアアイロンであり、多くの個人、特に女性により利用が期待される。
【符号の説明】
【００５５】
１      ヘアアイロン
１０      第１腕部
１１      第１発熱体
１１ａ    第１発熱面
１１ｂ    第２発熱面
１１ｂ１  溝
１２      ガード
１２ａ    アーチ部
１２ｂ    棒状部
１２ｂ１  突起
１３      キャップ
１４      握持部
２０      第２腕部
２１      第２発熱体
２１ａ    第３発熱面
２２      ブラシ
２３      キャップ
２４      握持部
３１      バネ
３２      ロック
３２ａ    突起
３２ｂ    つまみ
４        電源コード
【図１】
0003196950.tif 000003
【図２】
0003196950.tif 000004
【図３】
0003196950.tif 000005
【図４】
0003196950.tif 000006
【図５】
0003196950.tif 000007
【図６】
0003196950.tif 000008